(57)【要約】【課題】１つの光伝送路を複数の区間に分割し、区間毎に無線伝送路で救済する構成において、消費電力を低減できる終端装置を提供する。【解決手段】終端装置間の光伝送路を複数の区間に分割し、区間の障害時、当該区間で対向する送信装置と受信装置により無線伝送路で救済する通信システムの終端装置は、監視信号を生成する監視信号生成手段と、監視信号の反射光により障害となっている区間を特定する制御手段と、変調光を生成する変調手段と、を備えており、制御手段は、特定した区間に応じて変調光の波長を制御する。【選択図】図３
2015082736.tif 000002
【特許請求の範囲】
【請求項１】
終端装置間の光伝送路を複数の区間に分割し、区間の障害時、当該区間で対向する送信装置と受信装置により無線伝送路で救済する通信システムの終端装置であって、
監視信号を生成する監視信号生成手段と、
前記監視信号の反射光により障害となっている区間を特定する制御手段と、
変調光を生成する変調手段と、
を備えており、
前記制御手段は、前記特定した区間に応じて前記変調光の波長を制御することを特徴とする終端装置。
【請求項２】
各区間を救済する送信装置には波長が関連付けられており、
前記制御手段は、前記変調光の波長が、前記特定した区間を救済する送信装置に関連付けられた波長となる様に制御することを特徴とする請求項１に記載の終端装置。
【請求項３】
前記監視信号はパルス信号であり、
前記制御手段は、前記パルス信号の反射光から障害箇所までの距離を判定し、前記判定した距離に基づき障害となっている区間を特定することを特徴とする請求項１又は２に記載の終端装置。
【請求項４】
各区間を救済する受信装置は、当該受信装置に関連付けられた波長の光信号を反射する様に構成されており、
前記監視信号は、各区間の受信装置に関連付けられた波長の光信号を含み、
前記制御手段は、反射光の波長に基づき障害となっている区間を特定することを特徴とする請求項１又は２に記載の終端装置。
【請求項５】
光入力ポートと、
光出力ポートと、
光信号を電気信号に変換し、前記電気信号を無線信号に変換してアンテナ経由で送信する変換手段と、
前記光入力ポートで受信した光信号の波長を検出する検出手段と、
前記変換手段及び前記光出力ポートを含む出力先から１つを選択し、選択した出力先に向けて前記光入力ポートで受信した光信号を出力する選択手段と、
前記アンテナ経由で制御信号を送受信する制御手段と、
オン状態で前記制御手段に電力供給し、オフ状態で前記制御手段に電力供給しない継電手段と、
を備えており、
前記継電手段がオフ状態であるときには変換手段には電力が供給されず、
前記検出手段は、前記光入力ポートで受信した光信号の波長が所定の波長であると、前記継電手段をオン状態にすることを特徴とする送信装置。
【請求項６】
前記制御手段は、電力供給されると、対向する受信装置と前記制御信号により通信し、当該通信結果に応じて、前記変換手段に電力が供給される様に制御し、かつ、前記光入力ポートで受信した光信号を前記変換手段に向けて出力する様に前記選択手段を制御することを特徴とする請求項５に記載の送信装置。
【請求項７】
前記継電手段は前記オン状態で前記変換手段に電力供給することを特徴とする請求項５に記載の送信装置。
【請求項８】
前記制御手段は、電力供給されると、対向する受信装置と前記制御信号により通信し、当該通信結果に応じて、前記光入力ポートで受信した光信号を前記変換手段に向けて出力する様に前記選択手段を制御することを特徴とする請求項７に記載の送信装置。
【請求項９】
終端装置間の光伝送路を複数の区間に分割し、区間の障害時、当該区間で対向する送信装置と受信装置により無線伝送路で救済する通信システムの受信装置であって、
光入力ポートと、
光出力ポートと、
アンテナで受信した無線信号を電気信号に変換し、前記電気信号で変調した変調光を出力する変調手段、及び、監視信号を生成する監視信号生成手段を含む変換手段と、
前記光入力ポートで受信した光信号のレベルを検出する検出手段と、
前記光入力ポートで受信した光信号及び前記変換手段が出力する光信号から１つを選択し、選択した光信号を前記光出力ポートに向けて出力する選択手段と、
前記アンテナ経由で制御信号を送受信する制御手段と、
オン状態で前記制御手段に電力供給し、オフ状態で前記制御手段に電力供給しない継電手段と、
を備えており、
前記継電手段がオフ状態であるときには前記変換手段には電力が供給されず、
前記検出手段は、前記光入力ポートで受信した光信号のレベルが閾値より大きい状態から前記閾値以下になると、前記継電手段をオン状態にし、
前記制御手段は、前記監視信号の反射光により障害となっている区間を特定し、前記特定した区間に応じて前記変調光の波長を制御することを特徴とする受信装置。
【請求項１０】
各区間を救済する送信装置には波長が関連付けられており、
前記制御手段は、前記変調光の波長が、前記特定した区間を救済する送信装置に関連付けられた波長となる様に前記変調手段を制御することを特徴とする請求項９に記載の受信装置。
【請求項１１】
前記監視信号はパルス信号であり、
前記制御手段は、前記パルス信号の反射光から障害箇所までの距離を判定し、前記判定した距離に基づき障害となっている区間を特定することを特徴とする請求項９又は１０に記載の受信装置。
【請求項１２】
各区間を救済する受信装置は、当該受信装置に関連付けられた波長の光信号を反射する様に構成されており、
前記監視信号は、各区間の受信装置に関連付けられた波長の光信号を含み、
前記制御手段は、反射光の波長に基づき障害となっている区間を特定することを特徴とする請求項９又は１０に記載の受信装置。
【請求項１３】
前記制御手段は、電力供給されると、対向する送信装置と前記制御信号により通信し、当該通信結果に応じて、前記変換手段に電力が供給される様に制御し、かつ、前記選択手段が前記光出力ポートに向けて出力する光信号が、前記変換手段が出力する光信号となるように制御することを特徴とする請求項９から１２のいずれか１項に記載の受信装置。
【請求項１４】
前記継電手段は前記オン状態で前記変換手段に電力供給することを特徴とする請求項９から１２のいずれか１項に記載の受信装置。
【請求項１５】
前記制御手段は、電力供給されると、対向する送信装置と前記制御信号により通信し、当該通信結果に応じて、前記選択手段が前記光出力ポートに向けて出力する光信号が、前記変換手段が出力する光信号となるように制御することを特徴とする請求項１４に記載の受信装置。 
【発明の詳細な説明】
【技術分野】
【０００１】
本開示は、光伝送路の障害時に無線伝送路で救済する通信システムに関する。
【背景技術】
【０００２】
大容量の伝送が可能であり、通信品質の安定している光ファイバが通信媒体として、コア・ネットワーク及びアクセス・ネットワークにおいて広く使用されている。しかしながら、光ファイバが断線すると、その復旧には、まず保守者が断線箇所に駆けつけ、断線部分を含む区間の再接続を行う必要があり、復旧までに時間がかかる。したがって、特許文献１は、光ファイバによる光伝送路に対して無線による予備伝送路を設け、光伝送路の障害時、無線による予備伝送路に切り替えて通信を継続させる構成を開示している。
【先行技術文献】
【特許文献】
【０００３】
【特許文献１】特開２０１０−２７８６２０号公報
【発明の概要】
【発明が解決しようとする課題】
【０００４】
特許文献１に記載の構成は、パッシブ光ネットワーク（ＰＯＮ：Ｐａｓｓｉｖｅ  Ｏｐｔｉｃａｌ  Ｎｅｔｗｏｒｋ）において、局側光終端装置（ＯＬＴ：Ｏｐｔｉｃａｌ  Ｌｉｎｅ  Ｔｅｒｍｉｎａｌ）と加入者側光終端装置（ＯＮＵ：Ｏｐｔｉｃａｌ  Ｎｅｔｗｏｒｋ  Ｕｎｉｔ）との間のいずれの箇所で断線したとしても同じ１つの無線伝送路で救済するというものである。
【０００５】
しかしながら、光伝送路での伝送容量が高くなると、その救済のためには、数十ＧＨｚの周波数帯域の無線伝送路を使用しなければならない。数十ＧＨｚの周波数帯域では見通し内通信となり、かつ、使用する周波数が高くなる程、その伝送距離は短くなる。つまり、光伝送路での伝送容量が高くなると、光伝送路を１つの無線伝送路で救済することはできず、光伝送路を複数の区間に分割し、各区間に対して無線装置で予備伝送路を構成して区間毎に救済することが必要となる。
【０００６】
ここで、１つの光伝送路を複数の区間に分割し、区間毎に救済する構成において消費電力を削減するためには、障害が発生していないときには、無線通信を行うための各機能部への電力供給を停止し、障害が発生した場合に、障害区間の救済を行うのに必要な機能部への給電を行うように制御する必要がある。
【０００７】
本発明は、１つの光伝送路を複数の区間に分割し、区間毎に無線伝送路で救済する構成において、消費電力を低減できる終端装置、送信装置及び受信装置を提供するものである。
【課題を解決するための手段】
【０００８】
本発明の一側面によると、終端装置間の光伝送路を複数の区間に分割し、区間の障害時、当該区間で対向する送信装置と受信装置により無線伝送路で救済する通信システムの終端装置は、監視信号を生成する監視信号生成手段と、前記監視信号の反射光により障害となっている区間を特定する制御手段と、変調光を生成する変調手段と、を備えており、前記制御手段は、前記特定した区間に応じて前記変調光の波長を制御することを特徴とする。
【０００９】
本発明の一側面によると、送信装置は、光入力ポートと、光出力ポートと、光信号を電気信号に変換し、前記電気信号を無線信号に変換してアンテナ経由で送信する変換手段と、前記光入力ポートで受信した光信号の波長を検出する検出手段と、前記変換手段及び前記光出力ポートを含む出力先から１つを選択し、選択した出力先に向けて前記光入力ポートで受信した光信号を出力する選択手段と、前記アンテナ経由で制御信号を送受信する制御手段と、オン状態で前記制御手段に電力供給し、オフ状態で前記制御手段に電力供給しない継電手段と、を備えており、前記継電手段がオフ状態であるときには変換手段には電力が供給されず、前記検出手段は、前記光入力ポートで受信した光信号の波長が所定の波長であると、前記継電手段をオン状態にすることを特徴とする。
【００１０】
本発明の一側面によると、終端装置間の光伝送路を複数の区間に分割し、区間の障害時、当該区間で対向する送信装置と受信装置により無線伝送路で救済する通信システムの受信装置は、光入力ポートと、光出力ポートと、アンテナで受信した無線信号を電気信号に変換し、前記電気信号で変調した変調光を出力する変調手段、及び、監視信号を生成する監視信号生成手段を含む変換手段と、前記光入力ポートで受信した光信号のレベルを検出する検出手段と、前記光入力ポートで受信した光信号及び前記変換手段が出力する光信号から１つを選択し、選択した光信号を前記光出力ポートに向けて出力する選択手段と、前記アンテナ経由で制御信号を送受信する制御手段と、オン状態で前記制御手段に電力供給し、オフ状態で前記制御手段に電力供給しない継電手段と、を備えており、前記継電手段がオフ状態であるときには前記変換手段には電力が供給されず、前記検出手段は、前記光入力ポートで受信した光信号のレベルが閾値より大きい状態から前記閾値以下になると、前記継電手段をオン状態にし、前記制御手段は、前記監視信号の反射光により障害となっている区間を特定し、前記特定した区間に応じて前記変調光の波長を制御することを特徴とする。
【発明の効果】
【００１１】
１つの光伝送路を複数の区間に分割し、区間毎に無線伝送路で救済する構成において、消費電力を低減できる。
【図面の簡単な説明】
【００１２】
【図１】一実施形態によるシステム構成図。
【図２】区間＃２及び＃４で障害が発生した場合の状態の説明図。
【図３】一実施形態による光終端装置の送信部の構成図。
【図４】一実施形態による送信装置の構成図。
【図５】一実施形態による受信装置の構成図。
【図６】一実施形態による光終端装置の送信部の構成図。
【図７】一実施形態による受信装置の構成図。
【発明を実施するための形態】
【００１３】
以下、本発明の例示的な実施形態について図面を参照して説明する。なお、以下の各図においては実施形態の説明に必要ではない構成要素については図から省略する。また、以下の実施形態は例示であり本発明を実施形態の内容に限定するものではない。
【００１４】
＜第一実施形態＞
図１は、一実施形態による通信システムの構成図である。図１において、局側光終端装置（ＯＬＴ）３−１は、加入者側光終端装置（ＯＮＵ）３−２と通信する。図１の例においては、ＯＬＴ３−１とＯＮＵ３−２とを接続する光伝送路を４つの区間（区間＃１〜＃４）に分割し、各区間の光伝送路の障害時に、障害区間を無線伝送路で復旧させるための送信装置（ＴＸ）１と受信装置（ＲＸ）２が各区間に設けられている。なお、本例では区間数は４であるが、任意の区間数を使用できる。以下では、ＯＬＴ３−１からＯＮＵ３−２方向、つまり、下り方向について、障害発生時、どの様に区間の救済を行うかについて説明するが、上り方向についても同様である。また、以下の説明において、区間＃ｋ（本例では、ｋ＝１〜４の整数）の送信装置１及び受信装置２を、それぞれ、ＴＸ＃ｋ及びＲＸ＃ｋと表記し、ＯＬＴ３−１とＯＮＵ３−２を纏めて光終端装置３と呼ぶ。
【００１５】
まず、正常時、つまり、障害が発生していない場合、光終端装置３が送信する光信号は、単に、各送信装置１及び各受信装置２を通過して対向する光終端装置３が受信する。その後、図１の区間＃２及び＃４で同時に障害が発生したものとする。本実施形態において、受信装置２は、入力される光信号のレベルを監視しており、このレベルが閾値以下となると、無線伝送路への切り替えに必要な機能ブロックへの電力供給を行う。図２は、区間＃２及び＃４で同時に障害が発生した場合の各受信装置２の光信号の検出状況を示している。図２に示す様に、区間＃２での障害により、ＲＸ＃２、ＲＸ＃３、ＲＸ＃４は光信号断を検出する。よって、ＲＸ＃２、ＲＸ＃３、ＲＸ＃４は、無線通信に必要な機能ブロックへの電力供給を行う。
【００１６】
本実施形態では複数の区間で同時に障害が発生した場合、上流側の区間から順次、無線伝送路への切り替えを行う。つまり、本例では区間＃２の無線伝送路への切り替えをまず行う。このためには、区間＃２を無線伝送路に切り替える必要があることをＴＸ＃２に通知し、ＴＸ＃２において、無線伝送路への切り替えに必要な機能ブロックへの電力供給を行わせてＴＸ＃２及びＲＸ＃２において、信号経路を無線側に切り替える必要がある。以下、その方法について説明する。
【００１７】
図３は、光終端装置３の送信部の構成図である。なお、受信部、つまり、光伝送路から光信号を受信して復調する構成については、本実施形態の説明には必要ないため図から省略している。送信データに対応する電気信号は、ベースバンド信号を無線周波数帯に周波数変換したものであり、光変調部３２に入力される。障害が発生していない場合、光変調部３２は、波長λ０の連続光を電気信号で変調して波長多重部３６に出力する。なお、光変調部３２が有する光源の波長は、制御部３１の制御により調整が可能であり、該光源は、λ０以外に、λ１−１〜λ１−Ｎの波長の連続光を生成可能である。なお、Ｎは区間数であり、本例では４である。監視信号生成部３３は、それぞれ、異なるＮ個の波長の光信号である監視信号を生成してサーキュレータ３５経由で波長多重部３６に出力する。なお、本実施形態では、監視信号は無変調の連続光とするが、なんらかの信号で変調したものであっても良い。以下、監視信号の波長は、λ２−１〜λ２−Ｎとする。ここで、λ０、λ１−１〜λ１−Ｎ及びλ２−１〜λ２−Ｎの計２Ｎ＋１個の波長は、それぞれ異なる。
【００１８】
後述する様に、本実施形態において、各受信装置２は、所定波長の監視信号を反射する様に構成されている。本実施形態において、ＲＸ＃ｋ（本例で、ｋ＝１〜４）は、波長λ２−ｋの監視信号を反射する様に構成されているものとする。なお、以下の説明において、ＲＸ＃ｋにおいて反射される監視信号を区間＃ｋの監視信号と呼ぶものとする。各受信装置２で反射された監視信号は、波長多重部３６及びサーキュレータ３５を経由して検出部３４に入力され、検出部３４は、受信した区間の監視信号、つまり、受信した反射光の波長を制御部３１に通知する。
【００１９】
ここで、検出部３４が区間＃１〜４の監視信号の反射光を受光しているのであれば、図１の各区間には障害が発生していないことになる。一方、本例の通り、区間＃２で障害が発生すると、検出部３４は、区間＃１の監視信号の反射光については受光するが、区間＃２〜＃４の監視信号の反射光を受光しなくなる。これにより、制御部３１は、区間＃２での障害発生を認識する。より一般的には、区間＃ｓまでの監視信号の反射光を受光するが、区間＃ｓ＋１以降の監視信号の反射光を受光しないことは区間＃ｓ＋１の障害を示している。制御部３１は、区間＃２での障害発生を認識すると、光変調部３２の光源が生成する連続光の波長を、区間＃２を救済するＴＸ＃２へのトリガとなる波長に変更する。なお、以下の説明では、ＴＸ＃ｋへのトリガとなる波長をλ１−ｋとする。したがって、本例では、制御部３１は、光変調部３２が出力する変調光の波長をλ１−２に変化させる。これにより、ＴＸ＃２は、無線伝送路への切り替えに必要な機能ブロックへの電力供給を開始し、ＴＸ＃２とＲＸ＃２は、無線伝送路経由で切り替えのための制御信号を送受して無線伝送路への切り替えを行う。
【００２０】
続いて、図４及び図５を用いて、本実施形態による送信装置１及び受信装置２について説明する。図４は、本実施形態による送信装置１の構成図である。光入力ポート１０１には光ファイバが接続され、１つ上流の受信装置２又は光終端装置３からの光信号が入力される。入力された光信号は、光スプリッタ１０２で分岐されて検出部１０５及び選択部１０３に出力される。選択部１０３は、通常時、入力される光信号を出力光ポート１０４に向けて出力する。なお、出力光ポート１０４には、光ファイバの一端が接続され、この光ファイバの他の一端は対向する受信装置２に接続される。
【００２１】
選択部１０３は、出力光ポート１０４ではなく、変換部１１に向けて入力された光信号を出力することができる。なお、選択部１０３は、ラッチ型であり光信号の出力先を切り替えるときのみ電力供給を必要とする。無線伝送路への迂回時に、選択部１０３は、変換部１１の光電気変換部１０９に光信号を出力し、光電気変換部１０９は光信号を電気変換して、無線周波数帯の電気信号に変換する。無線送信部１１０は、光電気変換部１０９からの電気信号を増幅し、アンテナ１１１から無線信号として出力する。
【００２２】
電源部１０６は、送信装置１の各部の動作電力を供給する。なお、制御部１０８と、変換部１１と、選択部１０３には、継電部１０７を経由して電力供給を行う様に構成されている。継電部１０７は、例えば、リレーであり、オン状態とオフ状態の２つの状態をとり得る。ここで、継電部１０７がオン状態であると、電源部１０６は、制御部１０７、変換部１１及び選択部１０３と接続され、これらに電力供給を行う。一方、継電部１０７がオフ状態であると、電源部１０６は、制御部１０８、変換部１１及び選択部１０３とは切り離され、これらに電力供給を行わない。なお、電源部１０６と検出部１０５は直接接続され、検出部１０５には、常時電力供給が行われる。検出部１０５は、当該装置に関連付けられたトリガとなる波長、つまり、当該装置がＴＸ＃ｋである場合には、波長λ１−ｋを通過させ、それ以外の波長の光信号を阻止するフィルタを備え、波長λ１−ｋの光信号を検出すると継電部１０７をオフ状態からオン状態に変更する。これにより、制御部１０８、変換部１１及び選択部１０３に電力が供給される。制御部１０８は、電力が供給されると、対向する受信装置２の制御部２０８と無線で通信し、その後、選択部１０３が変換部１１に光信号を出力する様に切り替えを行う。
【００２３】
図５は、本実施形態による受信装置２の構成図である。光入力ポート２０１には光ファイバが接続され対向する送信装置１からの光信号が入力される。入力された光信号は、光スプリッタ２１７及び２０２でそれぞれ分岐されて、反射部２１５、検出部２０５及び選択部２０３に出力される。ここで、反射部２１５は、対応する監視信号、例えば、受信装置２がＲＸ＃ｋである場合には、波長λ２−ｋの監視信号を光入力ポート２０１に向けて反射する。既に説明した様に、この反射光は、障害が発生していない場合、終端装置３の検出部３４が検出する。選択部２０３は、通常時、入力される光信号を出力光ポート２０４に向けて出力する。なお、出力光ポート２０４には、光ファイバの一端が接続され、この光ファイバの他の一端は、１つ下流の送信装置１又は光終端装置３に接続される。
【００２４】
選択部２０３は、光入力ポート２０１に入力された光信号ではなく、変換部２１が出力する光信号を出力光ポート２０４に向けて出力することができる。なお、選択部２０３は、ラッチ型であり、出力光ポート２０４に出力する光信号を切り替えるときのみ電力供給を必要とする。無線伝送路への迂回時に、対向する送信装置１が送信した無線信号は、アンテナ２１６により無線周波数帯の電気信号に変換され無線受信部２０９において増幅される。光変調部２１０は、連続光を電気信号で変調して波長多重部２１１に出力する。なお、光変調部２１０の光源は、光終端装置３の光変調部３２の光源と同様に、制御部２０８の制御により波長λ０とλ１−１〜λ１−Ｎの連続光を生成することができる。また、変換部２１は、光終端装置３と同様に監視信号を生成する監視信号生成部２１２と、監視信号の反射光を検出する検出部２１４を備えており、監視信号生成部２１２は、生成した監視信号をサーキュレータ２１３経由で波長多重部２１１に出力し、検出部２１４は、サーキュレータ２１３経由で監視信号の反射光を受光し、受光した反射光の波長を制御部２０８に通知する。したがって、無線伝送路への切り替え時、波長多重部２１１は、光変調部２１０が出力する変調光と、監視信号生成部２１２が生成する監視信号を選択部２０３に向けて出力し、検出部２１４は、下流側からの監視信号の反射光を受光する。
【００２５】
また、電源部２０６は、受信装置２の各部の動作電力を供給する。なお、制御部２０８と、変換部２１と、選択部２０３には、継電部２０７を経由して電力供給を行う様に構成されている。継電部２０７は、例えば、リレーであり、オン状態とオフ状態の２つの状態をとり得る。ここで、継電部２０７がオン状態であると、電源部２０６は、制御部２０８、変換部２１２８及び選択部２０３と接続され、これらに電力供給を行う。一方、継電部２０７がオフ状態であると、電源部２０６は、制御部２０８、変換部２１及び選択部２０３とは切り離され、これらに電力供給を行わない。なお、電源部２０６と検出部２０５は直接接続され、常時電力供給が行われる。検出部２０５は、入力された光信号のレベルが所定の閾値以上であると継電部２０７をオフ状態とし、入力された光信号のレベルが所定の閾値を下回ると、継電部２０７をオン状態にする。したがって、例えば、受信装置２がＲＸ＃ｋであると、区間＃ｋより上流側のいずれかの区間の障害により、制御部２０８、変換部２１及び選択部２０３には電力が供給される。
【００２６】
区間＃２と区間＃４の同時障害時、ＲＸ＃２は、区間＃２の障害により制御部２０８、変換部２１及び選択部２０３に電力を供給する。また、区間＃２の障害は、上述した様に、終端装置３が検出し、変調光の波長をλ１−２に変更することで、ＴＸ＃２の制御部１０８、変換部１１及び選択部１０３に電力が供給される。制御部１０８は、起動すると、無線により制御信号をＲＸ＃２に送信し、制御部２０８は、ＴＸ＃２から制御信号を受信すると、ＴＸ＃２に応答信号を無線で送信する。これにより、ＴＸ＃２及びＲＸ＃２は、それぞれ、無線伝送路への切り替えを行う様に選択部１０３及び選択部２０３を制御する。なお、このとき、制御部２０８は、光変調部２１０における変調光の波長をλ０とする。
【００２７】
区間＃２が救済されることでＲＸ＃２は、ＴＸ＃３に向けて光信号を送出する。区間＃３は障害ではないため、ＲＸ＃３の検出部２０５は光信号を検出し、よって、制御部２０８等への給電を停止する。しかしながら、区間＃４は、障害であるため、ＲＸ＃４は制御部２０８等への給電を継続する。本実施形態において各受信装置２は、光終端装置３と同様の方法で障害区間を特定し、特定した区間の送信装置１に、その制御部１０８等への給電を開始させるトリガを送信する。本例では、区間＃４でも障害が発生しているため、ＲＸ＃２の検出部２１４は、区間＃３の監視信号の反射光は受光するが、区間＃４の監視信号の反射光を受光しない。よって、ＲＸ＃２の制御部２０８は、光変調部２１０の変調光の波長をλ１−４にし、これにより区間＃４の救済を行わせる。
【００２８】
なお、上述した実施形態では、継電部１０７をオン状態にすると、制御部１０８、変換部１１及び選択部１０３に電力供給を行っていた。しかしながら、継電部１０７をオン状態にしたときには、制御部１０７のみに電力供給を行い、無線伝送路への切り替えが必要な場合に、制御部１０７が、別の継電部を制御して、変換部１１及び選択部１０３に電力供給を行う構成であっても良い。また、同様に、継電部２０７をオン状態にしたときには、制御部２０８のみに電力供給を行い、無線伝送路への切り替えが必要な場合に、制御部２０８が、別の継電部を制御して、変換部２１及び選択部２０３に電力供給を行う構成であっても良い。
【００２９】
さらに、上述した実施形態では、ＲＸ＃ｋの光変調部２１０は、λ０及びλ１−１〜１−Ｎの波長を出力でき、監視信号生成部２１２は、区間＃１〜＃Ｎの監視信号を出力するものとしていた。しかしながら、ＲＸ＃ｋは、より下流の区間の監視と、トリガを送信できればよい。つまり、ＲＸ＃ｋの光変調部２１０は、λ０及びλ１−（ｋ＋１）〜λ１−Ｎの波長を出力できれば良く、監視信号生成部２１２は、区間＃（ｋ＋１）〜＃Ｎの監視信号を出力できれば良い。
【００３０】
＜第二実施形態＞
続いて、第二実施形態について、第一実施形態との相違点を中心に説明する。図６は、本実施形態による終端装置３の構成図である。第一実施形態との相違点は、監視信号生成部３３と、検出部３４と、サーキュレータ３５に代えて、パルス試験部３７を設けたことである。パルス試験部３７は、所謂、ＯＴＤＲ（Ｏｐｔｉｃａｌ  Ｔｉｍｅ  Ｄｏｍａｉｎ  Ｒｅｆｌｅｃｔｏｍｅｔｅｒ）であり、パルス信号を送信し、その反射光により光ファイバの破断箇所を、パルス試験部３７からの距離で測定して制御部３１に通知する。制御部３１は、距離と区間の関係を保持しており、パルス試験部３７からの情報に基づき障害区間を判定して、光変調部３２の波長を制御する。その他の内容については、第一実施形態と同様である。また、本実施形態の送信装置１は、第一実施形態と同じである。図７に、本実施形態による受信装置２の構成図を示す。第一実施形態との相違点は、終端装置３と同様に、監視信号生成部２１２と、検出部２１４と、サーキュレータ２１３に代えて、パルス試験部２１８を設けたことである。
【図１】
2015082736.tif 000003
【図２】
2015082736.tif 000004
【図３】
2015082736.tif 000005
【図４】
2015082736.tif 000006
【図５】
2015082736.tif 000007
【図６】
2015082736.tif 000008
【図７】
2015082736.tif 000009